(57)【要約】  【課題】サイト間の連携を強めることで、アクセス数を飛躍的に増大させると共に、これらのサイトの広告媒体としての価値を大きくすることが可能なサイト連携システムを提供する。  【解決手段】ユーザが音楽コミュニティサイト内の所定の楽曲ページにレビューを書き込むと（Ｓ１３）、当該ユーザが開設するブログサイトのアドレスと共にトラックバックとして、楽曲ページ内にそのレビューの一部が表示される（Ｓ１４）。また、レビュー内容は、当該楽曲ページのバナーと共に、当該ユーザのブログサイトにポストされ（Ｓ１５）、ブログサイトにレビュー記事と共にバナーが表示される（Ｓ１６）。【選択図】図４
2007157035.tif 000002
【特許請求の範囲】
【請求項１】
ネットワークを介して接続されたユーザ端末、ユーザに個人サイトを提供するユーザサイトサーバ及びユーザにコミュニティサイトを提供するコミュニティサイトサーバを有するサイト連携システムであって、
前記コミュニティサイトサーバは、
コミュニティサイトに参加するユーザの個人サイトのアドレス情報を格納するユーザ情報データベースと、
前記ユーザ端末からコミュニティサイト内の所定のページに対するユーザの書き込み情報を受信すると、当該ユーザの個人サイトへのリンク情報と共に当該書き込み情報を当該所定のページ内に掲載するように制御すると共に、当該書き込み情報と、当該所定のページのアドレス情報を含むバナー情報とを、当該ユーザの個人サイトを提供するユーザサイトサーバに送信するよう制御する制御手段と、を有し、
前記ユーザサイトサーバは、前記書き込み情報及びアドレス情報を受信すると、当該書き込み情報及び前記所定のページへのリンク情報を当該個人サイトに掲載するように制御する制御手段を有していることを特徴とするサイト連携システム。
【請求項２】
前記コミュニティサイトサーバの制御手段は、前記書き込み情報と、前記ユーザサイトサーバに前記所定のページのアドレス情報を含むバナー情報を送信する手段であり、
前記ユーザサイトサーバは、前記書き込み情報及び前記アドレス情報を含むバナー情報を受信すると、当該書き込み情報及びバナー情報を当該個人サイトに形成するように制御する手段であることを特徴とする請求項１記載のサイト連携システム。
【請求項３】
ネットワークを介して接続されたユーザサイトサーバが提供する個人サイトと、コミュニティサイトサーバが提供するコミュニティサイトとを連携させるサイト連携方法であって、
前記コミュニティサイトサーバが、ユーザによるコミュニティサイト内の所定のページに対する書き込み情報を受信する工程と、
前記コミュニティサイトサーバが、前記書き込み情報と共に書き込んだユーザの個人サイトへのリンクを当該所定のページ内に掲載するように処理する工程と、
前記コミュニティサイトサーバが、前記書き込み情報と、当該所定のページのアドレス情報を含むバナー情報とを、上記ユーザの個人サイトを提供するユーザサイトサーバに送信する工程と、
前記ユーザサイトサーバが、前記書き込み情報及びバナー情報を受信すると、当該書き込み情報及びバナー情報を当該個人サイトに掲載するように処理する工程と、
を備えたことを特徴とするサイト連携方法。
【請求項４】
コミュニティサイトを提供するコミュニティサイトサーバであって、個人サイトを提供するユーザサイトサーバとネットワークを介して接続されたコミュニティサイトサーバにおいて、
コミュニティサイトに参加するユーザの個人サイトのアドレス情報を格納するユーザ情報データベースと、
コミュニティサイト内の所定のページに対するユーザの書き込み情報を受信すると、当該ユーザの個人サイトへのリンク情報と共に当該書き込み情報を当該所定のページ内に掲載するように制御すると共に、当該書き込み情報と、当該所定のページのアドレス情報を含むバナー情報とを、当該ユーザの個人サイトを提供するユーザサイトサーバに送信するよう制御する制御手段と、
を備えたことを特徴とするコミュニティサイトサーバ。
【請求項５】
コミュニティサイトを提供するコンピュータであって、個人サイトを提供するユーザサイトサーバとネットワークを介して接続されたコンピュータに、前記個人サイトとの連携を行わせるためのサイト連携プログラムにおいて、
ユーザによるコミュニティサイト内の所定のページに対する書き込み情報を受信するステップと、
前記書き込み情報と、書き込んだユーザの個人サイトへのリンクとを当該所定のページ内に掲載するように処理するステップと、
前記書き込み情報と、当該所定のページのアドレス情報を含むバナー情報とを、上記ユーザの個人サイトを提供するユーザサイトサーバに送信する工程と、
を前記コンピュータに実行させることを特徴とするサイト連携プログラム。
【発明の詳細な説明】
【技術分野】
【０００１】
本発明は、ブログ、掲示板、コミュニティサイト等のウェブサイトを相互に連携させるためのサイト連携システムに関する。
【背景技術】
【０００２】
周知の通り、インターネット上の多くのサイトは、サイト内に他のサイトＵＲＬのリンクを貼り付け、他のサイトに容易に移動できるように構成されている。また、画像データにリンク情報が付与されたバナーを用いて、例えば、広告主のサイトへ誘導するようなシステムも既に多く採用されている。
【０００３】
バナー広告について開示する先行技術としては、例えば、下記特許文献１がある。
【特許文献１】特開２００４−２９５２６７号公報
【０００４】
また、ブログ（ウェブログ、ｂｌｏｇ、Ｗｅｂｌｏｇ）と呼ばれるサービスも近年急速に普及してきている。ブログとは、ニュースや事件、趣味などに関し自分の意見を書き込む日記形式の簡易ホームページのことである。このブログにおいては、トラックバックと呼ばれる、自分の記事から他人の記事に対してリンクを貼り付ける機能が提供されており、トラックバックを利用して他人の記事に対してリンクを貼ると、自動的に他人の記事から自分の記事へのリンクも貼られることになる。
【０００５】
ブログ及びトラックバックについて開示する先行技術としては、例えば、下記特許文献２がある。
【特許文献２】特開２００５−２５０８２６号公報
【発明の開示】
【発明が解決しようとする課題】
【０００６】
上述したように、従来のインターネットサイトを相互に連携させる手法としては、ホームページ作成者が手動で各サイトにリンクやバナーを貼ったり、ブログ作成者が手動でトラックバックをしたりすることで行われている。
【０００７】
しかし、サイトにリンクやバナーを貼る手法は、サイト作成者が手動で行う必要があり手間がかかる。また、基本的に、リンクやバナーが貼られたサイトからリンク先の他のサイトへの一方向の連携であるため、連携も十分でなく、これらのサイトへのアクセス数の飛躍的な増加は期待できず、また、これらのサイトの広告媒体としての価値もあまり望めない。
【０００８】
また、ブログでのトラックバックは、通常、一方向のみのリンクである（トラックバック送信先から自分の記事へのリンクのみ）から、アクセス数の飛躍的な増加や、広告媒体としての価値を多く望むことはできない。なお、トラックバックを行ったブログ開設ユーザが、自分の記事内にトラックバック先のＵＲＬを記載すれば、結果的に双方のブログの所定の記事を相互リンクすることになるが、基本的にブログは個人により運用されているため、個人のサイト間の連携に止まる。
【０００９】
本発明は、このような課題に鑑みてなされたものであり、サイト間の連携を強めることで、アクセス数を飛躍的に増大させると共に、これらのサイトの広告媒体としての価値を大きくすることが可能なサイト連携システムを提供することを目的とする。
【課題を解決するための手段】
【００１０】
また、本発明に係るサイト連携システムは、ネットワークを介して接続されたユーザ端末、ユーザに個人サイトを提供するユーザサイトサーバ及びユーザにコミュニティサイトを提供するコミュニティサイトサーバを有するサイト連携システムであって、前記コミュニティサイトサーバは、コミュニティサイトに参加するユーザの個人サイトのアドレス情報を格納するユーザ情報データベースと、前記ユーザ端末からコミュニティサイト内の所定のページに対するユーザの書き込み情報を受信すると、当該ユーザの個人サイトへのリンク情報と共に当該書き込み情報を当該所定のページ内に掲載するように制御すると共に、当該書き込み情報と、当該所定のページのアドレス情報を含むバナー情報とを、当該ユーザの個人サイトを提供するユーザサイトサーバに送信するよう制御する制御手段と、を有し、前記ユーザサイトサーバは、前記書き込み情報及びアドレス情報を受信すると、当該書き込み情報及び前記所定のページへのリンク情報を当該個人サイトに掲載するように制御する制御手段を有していることを特徴とする。
【００１１】
また、本発明に係るサイト連携方法は、ネットワークを介して接続されたユーザサイトサーバが提供する個人サイトと、コミュニティサイトサーバが提供するコミュニティサイトとを連携させるサイト連携方法であって、前記コミュニティサイトサーバが、ユーザによるコミュニティサイト内の所定のページに対する書き込み情報を受信する工程と、前記コミュニティサイトサーバが、前記書き込み情報と共に書き込んだユーザの個人サイトへのリンクを当該所定のページ内に掲載するように処理する工程と、前記コミュニティサイトサーバが、前記書き込み情報と、当該所定のページのアドレス情報を含むバナー情報とを、上記ユーザの個人サイトを提供するユーザサイトサーバに送信する工程と、前記ユーザサイトサーバが、前記書き込み情報及びバナー情報を受信すると、当該書き込み情報及びバナー情報を当該個人サイトに掲載するように処理する工程と、を備えたことを特徴とする。
【００１２】
また、本発明に係るコミュニティサイトサーバは、コミュニティサイトを提供するコミュニティサイトサーバであって、個人サイトを提供するユーザサイトサーバとネットワークを介して接続されたコミュニティサイトサーバにおいて、コミュニティサイトに参加するユーザの個人サイトのアドレス情報を格納するユーザ情報データベースと、コミュニティサイト内の所定のページに対するユーザの書き込み情報を受信すると、当該ユーザの個人サイトへのリンク情報と共に当該書き込み情報を当該所定のページ内に掲載するように制御すると共に、当該書き込み情報と、当該所定のページのアドレス情報を含むバナー情報とを、当該ユーザの個人サイトを提供するユーザサイトサーバに送信するよう制御する制御手段と、を備えたことを特徴とする。
また、本発明に係るサイト連携プログラムは、コミュニティサイトを提供するコンピュータであって、個人サイトを提供するユーザサイトサーバとネットワークを介して接続されたコンピュータに、前記個人サイトとの連携を行わせるためのサイト連携プログラムにおいて、ユーザによるコミュニティサイト内の所定のページに対する書き込み情報を受信するステップと、前記書き込み情報と、書き込んだユーザの個人サイトへのリンクとを当該所定のページ内に掲載するように処理するステップと、前記書き込み情報と、当該所定のページのアドレス情報を含むバナー情報とを、上記ユーザの個人サイトを提供するユーザサイトサーバに送信する工程と、を前記コンピュータに実行させることを特徴とする。
【発明の効果】
【００１３】
本発明に係るサイト連携システムによれば、コミュニティサイトと個人サイト間に、互いに有効なリンクを貼ることができ、さらには、レビューを書き込むユーザの手間を軽減することも可能である。
【発明を実施するための最良の形態】
【００１４】
以下、添付図面を参照しながら本発明の実施の形態について詳細に説明する。図１は本発明の実施形態に係るサイト連携システム１の概略構成を示す図である。同図に示すように、サイト連携システム１は、音楽コミュニティサイトを運営する機能を備えた音楽コミュニティサイトサーバ１０、音楽コミュニティサイトに参加しているユーザが開設しているブログサイトを提供する機能を備えたブログ提供サーバ２０、音楽コミュニティサイトに参加する各ユーザが使用するユーザ端末３０、を備えている。
【００１５】
音楽コミュニティサイトサーバ１０、ブログ提供サーバ２０及びユーザ端末３０は、インターネット等のネットワーク４０を介して接続されており、それぞれの通信インターフェースを介して、互いにデータの送受信が可能である。
【００１６】
本実施形態に係るサイト連携システムは、音楽コミュニティサイトと、音楽コミュニティサイトに参加するユーザが開設するブログサイトとを密接に連携させることを特徴としている。より具体的には、音楽コミュニティサイトに参加しているユーザが、ある楽曲に対するレビューをコミュニティサイトに書き込むと、そのレビューが音楽コミュニティサイトの楽曲ページにトラックバックとして表示されるとともに、そのレビューが当該ユーザのブログサイトにも自動的にポストされるように構成されている。
【００１７】
また、後述するように、当該ユーザのブログサイトには、レビューと共に音楽コミュニティサイトのバナー等のメタデータも送信され、ブログ上にレビューと共に表示される。よって、本システムによれば、ユーザはコミュニティサイトの所望の楽曲ページに対して書き込みを行うだけで、自分のブログへのトラックバック及びブログへの記事のポストの双方を行うことができ、手間が省ける。また、コミュニティサイトとユーザのブログサイト間で双方にリンクが貼られることによって、双方のサイトのページビューを増やすことにもつながる。
【００１８】
音楽コミュニティサイトサーバ１０は、音楽コミュニティサイトを提供する事業者が設置するサーバである。本実施形態に係る音楽コミュニティサイトは、各楽曲及びアーティスト毎に専用のページを用意し、コミュニティに参加するユーザが、所望の楽曲やアーティストに対するレビューを書き込み、ユーザ間で様々な情報を共有することが可能なサイトである。
【００１９】
図２は、音楽コミュニティサイトサーバ１０の構成を概略的に示す図である。同図に示すように、音楽コミュニティサイトサーバ１０は、各種演算を行うための演算装置１１、各種データを格納するためのデータベース（ＤＢ）１２を有している。ＤＢ１２内には、コミュニティに参加するユーザに関する各種情報が格納されているユーザ管理情報ＤＢ１４、音楽コミュニティサイトを提供するための各種コンテンツ情報が格納されているコンテンツＤＢ１５、音楽コミュニティサイトを運営するための各種プログラムが格納されているプログラムＤＢ１６が含まれている。
【００２０】
また、同図に示すように、ユーザ管理情報ＤＢ１４内には、ユーザ情報テーブル（ＴＢＬ）１４１、プロフィールＴＢＬ１４３、レビューＴＢＬ１４５が含まれている。各ＴＢＬにおいては、各ユーザ管理用のユーザＩＤに関連づけて種々のレコードが格納されている。ユーザ情報ＴＢＬ１４１には、「ユーザＩＤ」、「メールアドレス」、コミュニティサイト内で各ユーザが使用する名称である「ニックネーム」、ユーザが開設するブログのアドレスである「ブログＵＲＬ」の情報を含むレコードが格納されている。
【００２１】
プロフィールＴＢＬ１４３内には、「ユーザＩＤ」と、「趣味」、「年齢」、「性別」等のユーザのプロフィールに関するレコードが格納されている。レビューＴＢＬ１４５内には、ユーザが所定の楽曲等について書き込んだ内容である「レビュー」が、そのユーザの「ユーザＩＤ」と、各レビューの対象である楽曲・アーティスト名を識別するための「楽曲・アーティストＩＤ」と関連づけたレコードとして格納されている。
【００２２】
また、コンテンツＤＢ１５内には、楽曲情報ＴＢＬ１５１、アーティスト情報ＴＢＬ１５３が含まれている。楽曲情報ＴＢＬ１５１には、各楽曲を識別するための「楽曲ＩＤ」と、「楽曲名」、「レコード会社」、「アーティスト」、楽曲の「ジャンル」、「楽曲バナー」、「トラックバック先ＵＲＬ」等の楽曲に関する情報を含むレコードが格納されている。なお、「アーティスト」レコードには、当該楽曲を歌っているアーティストの後述するアーティストＩＤが格納される。「楽曲バナー」には、各楽曲のバナー画像と当該楽曲ページへのリンク情報（ＵＲＬ）が格納されている。「トラックバック先ＵＲＬ」には、各楽曲ページのＵＲＬが格納される。
【００２３】
アーティスト情報ＴＢＬ１５３には、各アーティストを識別するための「アーティストＩＤ」と、「アーティスト名」、「オフィシャルサイト」、「所属事務所」、「楽曲」、「アーティストバナー」等のアーティストの情報を表すレコードが格納されている。なお、「楽曲」レコードには、当該アーティストが歌っている楽曲の楽曲ＩＤが格納される。また、「アーティストバナー」には、各アーティストのバナー画像と当該アーティストページへのリンク情報（ＵＲＬ）が格納されている。
【００２４】
また、プログラムＤＢ１６内には、音楽コミュニティサイトを提供するための各種プログラムが格納されている。
【００２５】
ブログ提供サーバ２０は、図示しない種々の演算を行うための演算装置や、種々の情報を記憶しておくための記憶装置を有している。ブログ提供サーバ２０には、ブログサービスを提供している事業者Ａが所有するブログ提供サーバＡ２０−１や、同事業者Ｂが所有するブログ提供サーバＢ２０−２が相当する。もちろん、ユーザが自宅に設置しているブログ提供サーバであっても良い。ブログ提供サーバ２０内の記憶装置には、ブログサービスを提供するためのプログラムやコンテンツデータが格納されている。
【００２６】
ブログサービスを提供するためのブログツールは、様々な種類のものがあるが、本実施形態においては、音楽コミュニティサイトに書き込んだレビューがブログサイトへ自動的にポストされる必要がある。よって、本実施形態のブログサイトとしては、外部からブログへの記事のポストが可能なブログ管理プログラムによって構築されているサイトが対象となる。具体的には、本実施形態では、XML-RPC(Remote Procedure Call) APIを利用して、外部からブログへの記事ポストが可能なブログツールを用いたサイトを対象としている。このようなブログツールとしては、Movable
Type XML-RPC API、Type Pad Atom API、Blogger API、MetaWeblog API、Atom API等がある。もちろん、XML-RPC
APIに限らず、他のAPIであっても外部からブログへの記事ポストが可能なものであれば、本発明を適用可能である。
【００２７】
ユーザ端末３０は、図示しない種々の演算を行うための演算装置や、種々の情報を記憶しておくための記憶装置、マウスやキーボード等の入力装置を有している。ユーザ端末２０には、ユーザＡが自宅に所有しているユーザ端末Ａ３０−１や、ユーザＢがインターネット喫茶等で使用するユーザ端末Ｂ３０−２等が相当する。ユーザは、ユーザ端末３０の入力装置を使って、音楽コミュニティサイトサーバ１０にアクセスすることで、コンテンツを閲覧したり、レビューを書き込んだりすることができる。また、ユーザは、ユーザ端末３０を使って、ブログ提供サーバ２０にアクセスすることで、ブログコンテンツを閲覧したり、自分が開設しているブログであれば、コンテンツの更新を行ったりすることができる。
【００２８】
以上、本実施形態に係るサイト連携システム１の構成について説明したが、続いて、本システムにおいて、行われる主な処理の流れについて、以下、詳細に説明する。なお、下記一連の処理のうち、音楽コミュニティサイトサーバ１０、ブログ提供サーバ２０、ユーザ端末３０が行う処理は、各コンピュータにインストールされている各種プログラムを、それぞれの演算装置が実行することによって実現される。
【００２９】
（１）トップページ
まず、ユーザが音楽コミュニティサイトにアクセスした際に、ユーザ端末３０の表示画面に表示されるトップページの内容について説明する。図３は、トップページの内容を示す図である。このトップページは、音楽コミュニティサイトサーバ１０の演算装置１１が、コンテンツＤＢ１５内のコンテンツ情報を、ネットワーク４０を介してユーザ端末３０に送信することにより、ユーザ端末３０上に表示される。
【００３０】
同図に示すように、トップページには、アーティスト名と共に楽曲の一覧が表示されており、ユーザが所望の楽曲をクリックすると、当該楽曲の楽曲ページに移動できるように構成されている。また、アーティスト名をクリックすると、当該アーティストのアーティストページに移動できるように構成されている。
【００３１】
また、同図中「人気楽曲」・「人気アーティスト」の欄には、ユーザが書き込んだレビューの数（トラックバック数）が多い楽曲・アーティストが表示される。同欄中に表示されている文字が大きいほどトラックバック数が多いことを意味している。ユーザは、同欄内の楽曲・アーティスト名をクリックすることで、当該楽曲・アーティストのページに移動することも可能である。
【００３２】
（２）レビュー作成
続いて、ユーザが楽曲ページやアーティストページにレビューを書き込む際の処理の流れを、楽曲ページの場合を例に挙げて説明する。図４は、登録ユーザが音楽コミュニティサイトの楽曲ページにレビューを書き込んだ際の処理の流れを示すフローチャートである。まず、ステップ１０において、ユーザが音楽コミュニティサイトにアクセスすると、上記トップページのコンテンツ情報が、音楽コミュニティサイトサーバ１０からユーザ端末３０に送信され、端末上に表示される。
【００３３】
そして、ユーザがレビューを書き込みたい楽曲名をマウスによりクリックすると、当該楽曲の楽曲ページに移動し、ユーザ端末３０上に、当該楽曲ページが表示される（Ｓ１１）。図５は、楽曲ページの内容を示す図である。
【００３４】
同図に示すように、楽曲ページには、当該楽曲の楽曲名、ジャンル等が表示されている。また、楽曲ページには、当該楽曲ページへのトラックバック先ＵＲＬ及び「レビューを書く」ボタンが表示されている。当該楽曲ページにレビューを書き込みたいユーザは、「レビューを書く」ボタンを、マウスによりクリックすることにより、レビュー編集ページに移動することができる（Ｓ１２）。
【００３５】
Ｓ１２において、レビュー編集ページに移動すると、ユーザ端末３０上に、レビュー編集ページが表示される。図６は、レビュー編集ページの内容を示す図である。続いて、Ｓ１３において、ユーザは、同図に示す「本文」の欄に、楽曲に対する感想や意見等を書き込むことができ、「おすすめ度」の欄では星の数により当該楽曲の格付けを行うことができる。また、ユーザは、「画像を選択」の欄の「ファイルを選択」ボタンをクリックすることにより、自分のブログに貼られる当該楽曲のバナー画像を選択することできる。バナー画像は、後述するように、当該楽曲ページの登録がなされた際に楽曲情報ＴＢＬ１５１内の当該楽曲レコードとして格納されているバナー画像の中から選択しても良いし、新しく自分でバナー画像を作成してそれを使うこともできる。新しく自分でバナー画像を作成した場合には、そのバナー画像は、ユーザ端末３０から音楽コミュニティサイトサーバ１０に送られ、楽曲情報ＴＢＬ１５１内に格納される。
【００３６】
Ｓ１３でユーザがユーザ端末３０を介して入力した情報は、音楽コミュニティサイトサーバ１０へと送信され、ユーザ管理情報ＤＢ１４のレビューＴＢＬ１４５に、当該ユーザＩＤ及び当該楽曲ＩＤと関連づけて格納される。また、ユーザの書き込みは、当該楽曲ページへのトラックバックとして、当該楽曲ページ内に表示される（Ｓ１４）。
【００３７】
上述したように、図５に示す楽曲ページ内には、その楽曲の楽曲名、楽曲のジャンル等が表示される。また、トラックバックの欄には、ユーザが書き込んだレビューの書き出し部分が、ユーザのニックネームと共に表示されている。このトラックバック欄の情報は、上述したＤＢ１２内のレビューＴＢＬ１４５内に格納されている書き込み情報が、ユーザ端末３０に送信されて表示される。また、各トラックバックには、書き込んだユーザのブログへのリンクが貼られており、「続きを読む」の文字の部分をクリックすると、各ブログへと移動することができるように構成されている。このリンクは、ユーザ情報ＴＢＬ１４１に格納されているユーザ情報レコードの「ブログＵＲＬ」が参照されて作成されている。
【００３８】
続いて、Ｓ１５では、Ｓ１３でユーザが書き込んだレビューの内容が当該ユーザのブログサイトにポストされる。このとき、星の数により表された格付け、当該楽曲ページのバナー情報等のメタデータが、レビュー情報と共にブログサイトに掲載される。具体的には、まず、音楽コミュニティサイトサーバ１０の演算装置１１が、ユーザ情報ＴＢＬ１４１を参照して、レビューを書き込んだユーザのユーザＩＤから当該ユーザのブログサイトの「ブログＵＲＬ」を抽出する。そして、演算装置１１は、ブログＵＲＬアドレスを参照して、音楽コミュニティサイトサーバ１０から当該ブログサイトを提供するブログ提供サーバ２０へと、レビューの内容及びバナー情報を含むメタデータを送信する。
【００３９】
これらの情報を受信したブログ提供サーバ２０は、当該ユーザのブログサイトに、これらの情報を掲載するように処理を行う（Ｓ１６）。すなわち、ブログ提供サーバ２０の記憶装置に格納されている当該ユーザのブログサイトのコンテンツに、上記レビューの内容及びバナー情報を含むメタデータを追加する。よって、当該ユーザのブログサイトを閲覧しようとブログ提供サーバ２０にアクセスしたユーザのユーザ端末３０には、これらの情報が追加表示されたブログサイトが表示される。
【００４０】
図７は、音楽コミュニティサイトに書き込んだレビューがポストされたブログサイトの表示内容を示す図である。同図に示すブログ記事は、ユーザが音楽コミュニティサイトの楽曲ページに書き込んだ内容が、そのままポストされたものである。また、同図のブログ記事の下部には、メタデータとして送られてきた、星の数による楽曲の格付けと、バナー画像とが表示されている。この格付けは、当該ユーザが楽曲ページにおいて行った格付けが、そのままメタデータとしてブログ提供サーバ２０に送られたものである。バナーは、書き込みを行った楽曲ページのバナーであり、当該楽曲ページへのリンクが貼られている。よって、ブログサイトを閲覧しているユーザが、このバナーをクリックすることで、当該楽曲ページへ移動することができる。
【００４１】
なお、メタデータはバナー情報や格付けに限られるものではなく、アーティスト名、アルバム名、楽曲名、レーベル名、ジャンル、ＩＳＲＣ（International Standard Recording Code）等、その他の種々の情報をメタデータとして、書き込み情報と共にブログサイトに送信するように構成しても良い。また、バナー画像を含むバナー情報ではなく、楽曲ページのアドレス情報を送信し、ブログサイトには、画像のないリンク情報のみを掲載するように構成しても良い。
【００４２】
このように、本実施形態に係るサイト連携システムによれば、音楽コミュニティサイトに登録しているユーザが、音楽コミュニティサイトにアクセスし、所望の楽曲の楽曲ページにレビューを書き込むだけで、その楽曲ページに自分のブログサイトからのトラックバックとしてレビューの一部が掲載されると共に、自分のブログサイトにも書き込んだ内容がブログ記事として自動的にポストされる。
【００４３】
よって、登録ユーザにとっては、音楽コミュニティサイトへの書き込みと、自分のサイトへのブログ記事書き込みとを一度に済ますことができ、大幅に手間を省けると共に、音楽コミュニティサイトの所望の楽曲ページ内に自分のブログサイトからのトラックバックが掲載されることになり、自分のブログサイトへのアクセス数を増加させることにつながる。
【００４４】
また、音楽コミュニティサイトを提供している事業者にとっては、音楽コミュニティサイトへの書き込みを行った登録ユーザのブログサイトに、自動的に楽曲ページへのバナーが貼られることになり、音楽コミュニティサイトのアクセス数増加を期待できる。
【００４５】
特に、ユーザが書き込む楽曲ページと、書き込んだブログ記事が掲載されるブログサイトは、所定の楽曲・アーティストに興味を持つユーザが訪れるサイトであるから、トラックバックやバナーから互いのサイトに移動する確率が高く、上述した音楽コミュニティサイトとブログサイトとの相乗効果は、通常の広告バナーやトラックバックと比べて、相当に高いものとなることが期待できる。
【００４６】
（３）ユーザ登録
ここで、音楽コミュニティサイトに参加したいユーザが最初に行うユーザ登録について説明する。この際、ユーザは、ユーザ端末３０を用いて音楽コミュニティサイトサーバ１０にアクセスし、ユーザ登録を行う。なお、本実施形態では、自分のブログサイトを開設しているユーザのみが音楽コミュニティサイトに登録できるように構成している。
【００４７】
音楽コミュニティサイトサーバ１０にアクセスしたユーザ端末３０の画面上には、登録画面が表示され、ユーザは、画面の指示内容に沿って、ユーザ登録を行う。この登録画面は、音楽コミュニティサイトサーバ１０の演算装置１１が、プログラムＤＢ１６内の所定のプログラムに従って処理を行い、ユーザ端末３０へと画面データを送信することで、ユーザ端末３０に表示される。この登録では、上述したユーザ情報ＴＢＬ１４１及びプロフィールＴＢＬ１４３に格納される、メールアドレス、ニックネーム、趣味、年齢、性別等の情報を入力する必要がある。
【００４８】
また、ユーザは、自分のブログサイトのＵＲＬ等の情報を設定する必要がある。図８は、音楽コミュニティサイトに参加するユーザが、自分のブログサイトの設定を行う際に表示される画面内容を示す図である。これらの画面は、音楽コミュニティサイトサーバ１０のコンテンツＤＢ１５内の所定のコンテンツ情報が、当該ユーザが使用しているユーザ端末３０に送信されることで、ユーザ端末３０上に表示される。
【００４９】
図８（ａ）は、ブログサイトの種類の選択を促す画面内容を示している。ユーザが「選択してください」の箇所をクリックすると、本システムにおいて利用可能なブログサービス一覧が表示される。利用可能なブログサービスは、上述したMovable Type XML-RPC API、Type Pad Atom API、Blogger API、MetaWeblog
API、Atom APIを使用したブログサービスである。本実施形態では、Movable Typeを用いたブログサービスを例として挙げている。ユーザが、ブログの種類を選択後、「次へ」のボタンをクリックすると、図８（ｂ）の画面へと移行する。
【００５０】
図８（ｂ）は、ブログサイトのＵＲＬ、ユーザ名、パスワードを設定する際に、ユーザ端末３０上に表示される画面の内容を示す図である。ユーザは、同画面を参照しながら、同図に示す「MT cgi-bin (URL)」には、ユーザのブログサイトのＵＲＬ、「ユーザ名」には、ブログサービスへの登録ユーザ名、「パスワード」には、ブログサービスへの登録パスワードを入力する。入力後、「次へ」のボタンをクリックすると、図８（ｃ）の画面へと移行する。
【００５１】
図８（ｃ）は、設定の確認を行うために表示される画面である。同図に示すように、ユーザが入力した情報が表示されるので、ユーザは、内容を確認したうえで「完了」ボタンをクリックすることで設定が完了する。
【００５２】
以上、ユーザ登録において、ユーザがユーザ端末３０を介して入力したこれらの情報は、音楽コミュニティサイトサーバ１０へと送られ、「メールアドレス」、「ニックネーム」、「ブログＵＲＬ」等の情報として、ユーザ管理情報ＤＢ１４のユーザ情報ＴＢＬ１４１及びプロフィールＴＢＬ１４３に格納される。また、これらの情報には、音楽コミュニティサイトサーバ１０において、各ユーザを識別するための「ユーザＩＤ」が付加されて格納される。これらユーザが入力するユーザ情報は、後で変更可能であるし、最初の登録では、入力を省略し、後で入力させるようにしても良い。
【００５３】
（４）新規楽曲・アーティストページ作成
また、本実施形態においては、ユーザが申請により楽曲ページ及びアーティストページを作成するように構成されている。
図９は、楽曲ページの作成を申請する際に、ユーザ端末３０に表示される表示画面を示す図である。ユーザは、同画面を見ながら、ユーザ端末３０を介して、楽曲ページを作成するために必要な情報を順次入力する。入力された情報は、ユーザ端末３０からネットワーク４０を介して音楽コミュニティサイトサーバ１０へと送られ、新たな楽曲レコードとして、コンテンツＤＢ１５の楽曲情報ＴＢＬ１５１に格納される。楽曲レコードには、各楽曲を識別するための「楽曲ＩＤ」が付加され、ユーザが入力した「楽曲名」、「レコード会社」、「アーティスト」、楽曲の「ジャンル」、「楽曲バナー」の情報と共に格納される。
【００５４】
「アーティスト」の情報としては、演算装置１１が、ユーザが入力したアーティストの「アーティストＩＤ」を、アーティスト情報ＴＢＬ１５３から検索して格納する。当該アーティストが、アーティスト情報ＴＢＬ１５３に存在しない場合には、新たに、アーティストＩＤを付した上で、そのＩＤを格納すると共に、アーティスト情報ＤＢ１５３にも新たなアーティストレコードとして格納する。なお、この新たなアーティストレコードは、この段階では、アーティストページを作成するために必要な情報は揃っていないため、当該アーティストのアーティストページが作成されるわけではない。
【００５５】
「楽曲バナー」の情報としては、ユーザが作成した画像を選択して送信することができる。ユーザは、ユーザ端末３０内に格納されている画像ファイルのディレクトリとファイル名を指定すれば、当該画像ファイルが楽曲バナーの画像として、音楽コミュニティサイトサーバ１０へと送られて、当該楽曲ページのＵＲＬと共に「楽曲バナー」の情報として楽曲情報ＴＢＬ１５１に格納される。なお、バナー画像として、ユーザは複数のファイルを送信可能であり、また、当該楽曲ページにアクセスしたユーザが他のバナー画像を追加送信することも可能である。「楽曲バナー」に複数の画像ファイルが格納されている場合には、楽曲ページにレビューを書き込むユーザが、自分のブログへ貼られるバナー画像を選択できる。
【００５６】
また、図１０は、アーティストページの作成を申請する際に、ユーザ端末３０に表示される表示画面を示す図である。ユーザは、同画面を見ながら、ユーザ端末３０を介して、アーティストページを作成するために必要な情報を順次入力する。
【００５７】
入力された情報は、ユーザ端末３０からネットワーク４０を介して音楽コミュニティサイトサーバ１０へと送られ、新たなアーティストレコードとしてコンテンツＤＢ１５のアーティストレコードＴＢＬ１５３に格納される。アーティストレコードには、各アーティストを識別するための「アーティストＩＤ」が付され、ユーザが入力した「アーティスト名」、「オフィシャルサイト」、「所属事務所」、「楽曲」、「アーティストバナー」の情報と共に格納される。
【００５８】
なお、上述したように、既に同じアーティスト名（アーティストページは作成されていない）のアーティストレコードがアーティスト情報ＴＢＬ１５３に格納されている場合には、新たな「アーティストＩＤ」が付されるのではなく、ユーザが入力した情報は、そのアーティストレコードに追加されることになる。
【００５９】
以上、本実施形態に係るサイト連携システム１について詳細に説明したが、本システムによれば、コミュニティサイトの登録ユーザが、所定の楽曲・アーティストページにレビューを書き込むだけで、その書き込みが当該ページにトラックバックとして掲載されると共に、書き込み内容がそのユーザ自身のブログサイトにもポストされるので、ユーザは手間をかけずに両サイトへの書き込みを行うことができる。また、書き込み内容がブログサイトにポストされる際には、書き込み内容と共に、当該楽曲・アーティストページのバナー及び格付けのメタデータも送られ、ブログサイトに掲載されるので、楽曲・アーティストページへのトラックバック掲載と相俟って、両サイトのアクセス数増加を期待できる。
【００６０】
なお、本実施の形態においては、本発明の主旨を逸脱しない範囲内で種々の変形が可能であることは言うまでもない。例えば、本実施形態においては、ユーザの申請により楽曲ページ及びアーティストページを作成するように構成したが、音楽コミュニティサイトサーバ側で、自動的に作成するように構成しても良い。例えば、販売されている楽曲ＣＤの情報を提供するサーバから楽曲一覧データを取得し、それぞれの楽曲に対する楽曲ページを自動で作成することも可能である。
【００６１】
また、上記実施形態では、ユーザが音楽コミュニティサイトにレビューを書き込み、それがユーザのブログサイトにポストされる場合について説明したが、本システムにおいては、従来のトラックバックシステムと同様に、ユーザが自分のブログサイトに、音楽コミュニティサイトの楽曲ページをトラックバック先として、直接記事（その楽曲のレビュー）を書き込むことももちろん可能である。但し、この場合には、ユーザのブログサイトには、当該楽曲ページのバナーや格付け等のメタデータは掲載されないことになる。
【００６２】
また、本実施形態では、コミュニティサイトとして、音楽コミュニティサイトを例に挙げて説明したが、これに限られるものではなく、複数のユーザが参加して書き込みを行えるコミュニティサイトであれば本発明を適用できる。例えば、各種商品の価格を比較する価格比較サイトや、通常の掲示板サイトのようなコミュニティサイトであっても良い。
【００６３】
また、ユーザが開設するサイトとして、ブログサイトを例に挙げて説明したが、ブログに限られるものでなく、ユーザが開設しているサイトであれば、通常の個人ホームページのような個人サイトであっても良い。但し、本実施形態の個人サイトとしては、外部からサイトへの記事のポストが可能なサイト管理プログラムによって構築されているサイトが対象となる。
【００６４】
また、ユーザ端末とブログ提供サーバが別体のコンピュータで構成されたシステムとして説明したが、同一のコンピュータがユーザ端末とブログ提供サーバの双方の機能を有するように構成しても良い。例えば、ユーザが自分のＰＣにブログサービスを実現するためのアプリケーションをインストールすれば、単体のコンピュータに、両機能を持たせることが可能である。また、同様に、音楽コミュニティサイトサーバとブログ提供サーバが同一のコンピュータによって提供されるよう構成されたシステムであっても良い。
【図面の簡単な説明】
【００６５】
【図１】図１は、本発明の実施形態に係るサイト連携システムの概略構成を示す図である。
【図２】図２は、本発明の実施形態に係る音楽コミュニティサイトサーバの構成を概略的に示す図である。
【図３】図３は、本発明の実施形態に係る音楽コミュニティサイトのトップページの内容を示す図である。
【図４】図４は、本発明の実施形態に係る音楽コミュニティサイトにユーザがレビューを書き込んだ際の処理の流れを示すフローチャートである。
【図５】図５は、本発明の実施形態に係る音楽コミュニティサイトの楽曲ページの内容を示す図である。
【図６】図６は、本発明の実施形態に係る音楽コミュニティサイトのレビュー編集ページの内容を示す図である。
【図７】図７は、本発明の実施形態に係るブログサイトの内容を示す図である。
【図８】図８は、本発明の実施形態に係る音楽コミュニティサイトのブログサイト設定ページの内容を示す図である。
【図９】図９は、本発明の実施形態に係る音楽コミュニティサイトの楽曲ページ作成申請ページの内容を示す図である。
【図１０】図１０は、本発明の実施形態に係る音楽コミュニティサイトのアーティストページ作成申請ページの内容を示す図である。
【００６６】
１      サイト連携システム
１０    音楽コミュニティサイトサーバ
１１    演算装置
１２    ＤＢ
１４    ユーザ管理情報ＤＢ
１５    コンテンツＤＢ
１６    プログラムＤＢ
２０    ブログ提供サーバ
３０    ユーザ端末
４０    ネットワーク
【図１】
2007157035.tif 000003
【図２】
2007157035.tif 000004
【図３】
2007157035.tif 000005
【図４】
2007157035.tif 000006
【図５】
2007157035.tif 000007
【図６】
2007157035.tif 000008
【図７】
2007157035.tif 000009
【図８】
2007157035.tif 000010
【図９】
2007157035.tif 000011
【図１０】
2007157035.tif 000012
【手続補正書】
【提出日】平成18年6月17日(2006.6.17)
【手続補正１】
【補正対象書類名】特許請求の範囲
【補正対象項目名】請求項１
【補正方法】変更
【補正の内容】
【請求項１】
ネットワークを介して接続されたユーザ端末、ユーザに個人サイトを提供するユーザサイトサーバ及びユーザにコミュニティサイトを提供するコミュニティサイトサーバを有するサイト連携システムであって、
前記コミュニティサイトサーバは、
コミュニティサイトに参加するユーザの個人サイトのアドレス情報を格納するユーザ情報データベースと、
前記ユーザ端末からコミュニティサイト内の所定のページに対するユーザの書き込み情報を受信すると、当該ユーザの個人サイトへのリンク情報と共に当該書き込み情報を当該所定のページ内に掲載するように制御すると共に、当該書き込み情報と、当該所定のページのアドレス情報とを、当該ユーザの個人サイトを提供するユーザサイトサーバに送信するよう制御する制御手段と、を有し、
前記ユーザサイトサーバは、前記書き込み情報及びアドレス情報を受信すると、当該書き込み情報及び前記所定のページへのリンク情報を当該個人サイトに掲載するように制御する制御手段を有していることを特徴とするサイト連携システム。
【手続補正２】
【補正対象書類名】特許請求の範囲
【補正対象項目名】請求項２
【補正方法】変更
【補正の内容】
【請求項２】
前記コミュニティサイトサーバの制御手段は、前記書き込み情報と、前記ユーザサイトサーバに前記所定のページのアドレス情報を含むバナー情報を送信する手段であり、
前記ユーザサイトサーバは、前記書き込み情報及び前記アドレス情報を含むバナー情報を受信すると、当該書き込み情報及びバナー情報を当該個人サイトに掲載するように制御する手段であることを特徴とする請求項１記載のサイト連携システム。
【手続補正３】
【補正対象書類名】明細書
【補正対象項目名】００１０
【補正方法】変更
【補正の内容】
【００１０】
上記課題を解決するために、本発明に係るサイト連携システムは、ネットワークを介して接続されたユーザ端末、ユーザに個人サイトを提供するユーザサイトサーバ及びユーザにコミュニティサイトを提供するコミュニティサイトサーバを有するサイト連携システムであって、前記コミュニティサイトサーバは、コミュニティサイトに参加するユーザの個人サイトのアドレス情報を格納するユーザ情報データベースと、前記ユーザ端末からコミュニティサイト内の所定のページに対するユーザの書き込み情報を受信すると、当該ユーザの個人サイトへのリンク情報と共に当該書き込み情報を当該所定のページ内に掲載するように制御すると共に、当該書き込み情報と、当該所定のページのアドレス情報とを、当該ユーザの個人サイトを提供するユーザサイトサーバに送信するよう制御する制御手段と、を有し、前記ユーザサイトサーバは、前記書き込み情報及びアドレス情報を受信すると、当該書き込み情報及び前記所定のページへのリンク情報を当該個人サイトに掲載するように制御する制御手段を有していることを特徴とする。